(57)【特許請求の範囲】
【請求項１】
トレッド部の摩耗情報を取得するための磁石を備えた空気入りタイヤであって、
前記トレッド部は、前記トレッド部のトレッドゴムの摩耗とともに摩耗することで磁束密度または磁界強度が低下する柱状の摩耗計測用磁石と、前記トレッドゴムの摩耗に伴って摩耗することがない位置に設けられた柱状の参照用磁石と、を備え、
前記摩耗計測用磁石及び前記参照用磁石は、前記トレッド部が地面と接するトレッド表面の側から、前記空気入りタイヤのタイヤ空洞領域の側に向かって延びるように延在し、
前記参照用磁石の前記トレッド表面側の端は、前記摩耗計測用磁石の前記トレッド表面側の端に比べて前記トレッド表面から遠い位置にある、ことを特徴とする空気入りタイヤ。
【請求項２】
前記摩耗計測用磁石の磁束密度または磁界強度を検知する摩耗計測用磁気センサと、前記参照用磁石の磁束密度または磁界強度を検知する参照用磁気センサを備える、請求項１に記載の空気入りタイヤ。
【請求項３】
前記摩耗計測用磁気センサ及び前記参照用磁気センサは、前記タイヤ空洞領域に面するタイヤ内表面から、前記タイヤ空洞領域内に突出した非磁性材料で構成された突出部上に設けられている、請求項２に記載の空気入りタイヤ。
【請求項４】
前記摩耗計測用磁石及び前記参照用磁石は、前記トレッド表面の側から、前記タイヤ空洞領域の側に向かって延びるが、前記空気入りタイヤのカーカスプライに至る前で終端し、
前記摩耗計測用磁気センサ及び前記参照用磁気センサは、前記タイヤ空洞領域に面する前記空気入りタイヤの内表面に固定されて設けられている、請求項２に記載の空気入りタイヤ。
【請求項５】
前記摩耗計測用磁石と前記参照用磁石は、タイヤ周方向の異なる位置で、タイヤ幅方向の同じ位置に設けられる、請求項１〜４のいずれか１項に記載の空気入りタイヤ。
【請求項６】
前記摩耗計測用磁石と前記参照用磁石との間のタイヤ周方向に沿った離間距離Ｗは、前記摩耗計測用磁石及び前記参照用磁石の延在方向のそれぞれの長さのうち長い方の長さＬの２倍より大きい、請求項５に記載の空気入りタイヤ。
【請求項７】
前記空気入りタイヤの新品時の未摩耗のトレッド表面のプロファイル形状を維持しながら前記トレッドゴムが摩耗するときに、前記空気入りタイヤに設けられたウェアインジケータが露出を開始するトレッド表面のプロファイルラインである摩耗限界曲線に前記トレッド表面が達しても、前記参照用磁石の前記トレッド表面側の端が前記トレッド表面に露出しないように、前記参照用磁石は配置されている、請求項１〜６のいずれか１項に記載の空気入りタイヤ。
【請求項８】
前記トレッド部には、タイヤ周方向に延びる周方向主溝が設けられ、
前記空気入りタイヤの新品時の未摩耗のトレッド表面のプロファイル形状を維持しながら、前記周方向主溝の溝深さが、新品時の未摩耗における前記周方向主溝の溝深さの５０％の深さになるまで前記トレッド表面が摩耗する時のトレッド表面のプロファイルラインである摩耗限界曲線に前記トレッド表面が達しても、前記参照用磁石の前記トレッド表面側の端が前記トレッド表面に露出しないように、前記参照用磁石は配置されている、請求項１〜６のいずれか１項に記載の空気入りタイヤ。
【請求項９】
前記参照用磁石の前記トレッド表面側の端から前記トレッド表面までの部分には、前記トレッドゴムと同じゴム材料で構成されている、請求項１〜８のいずれか１項に記載の空気入りタイヤ。
【請求項１０】
前記摩耗計測用磁石及び前記参照用磁石のそれぞれは、前記空気入りタイヤのベルト層のタイヤ幅方向の外側を通過して前記空洞領域の側に延びている、請求項１〜９のいずれか１項に記載の空気入りタイヤ。
【請求項１１】
前記摩耗計測用磁石及び前記参照用磁石は、前記トレッドゴムと同じゴム材料に磁石の粉末を含ませた構成のボンド磁石である、請求項１〜１０のいずれか１項に記載の空気入りタイヤ。
【請求項１２】
前記摩耗計測用磁石及び前記参照用磁石それぞれの最大直径をＤとし、前記摩耗計測用磁石及び前記参照用磁石それぞれの延在する長さをＬとしたとき、比Ｌ／Ｄは、３〜１５である、請求項１〜１１のいずれか１項に記載の空気入りタイヤ。
【請求項１３】
前記トレッド部は、前記トレッド部のパターンエンドからタイヤ幅方向内側に延びる複数のショルダーラグ溝がタイヤ周方向に離間して設けられ、
前記摩耗計測用磁石及び前記参照用磁石は、タイヤ周方向において前記ショルダーラグ溝の１つを少なくとも挟んで設けられ、
前記摩耗計測用磁石及び前記参照用磁石のそれぞれにタイヤ周方向に隣接する２つのショルダーラグ溝の間の距離をＹ０としたとき、前記摩耗計測用磁石及び前記参照用磁石のそれぞれは、前記隣接する２つのショルダーラグ溝のそれぞれから、前記距離Ｙ０の０．３倍〜０．７倍離れた位置に設けられる、請求項１〜１２のいずれか１項に記載の空気入りタイヤ。
【請求項１４】
請求項２〜４のいずれか１項に記載の空気入りタイヤと、
前記摩耗計測用磁気センサの検知信号と前記参照用磁気センサの検知信号から前記トレッドの摩耗情報を取得する取得装置と、を備え、
前記摩耗計測用磁気センサの検知信号は、前記摩耗計測用磁石の摩耗、経時劣化及び熱劣化に起因した前記摩耗計測用磁石の磁束密度または磁界強度の低下を含む第１情報を含み、
前記参照用磁気センサの検知信号は、前記参照用磁石の経時劣化及び熱劣化に起因した前記参照用磁石の磁束密度または磁界強度の低下を含む第２情報を含み、
前記取得装置は、前記第１情報と前記第２情報を用いて、前記摩耗計測用磁石の磁束密度または磁界強度の低下から前記摩耗計測用磁石の経時劣化及び熱劣化に起因した前記摩耗計測用磁石の磁束密度または磁界強度の低下を除去して、前記摩耗計測用磁石の摩耗に起因した前記摩耗計測用磁石の磁束密度または磁界強度の低下の情報を抽出することにより、前記トレッドゴムの摩耗情報を取得する、ことを特徴とするタイヤ摩耗情報取得システム。
【請求項１５】
前記取得装置は、前記摩耗計測用磁気センサの検知信号を、前記参照用磁気センサの検知信号に定数を用いて四則演算を行った演算結果で割り算することにより、前記摩耗計測用磁石の摩耗に起因した磁束密度または磁界強度の低下の情報を抽出する、請求項１４に記載のタイヤ摩耗情報取得システム。
【請求項１６】
トレッド部の摩耗情報を取得するための磁石を備えた空気入りタイヤの摩耗情報取得方法であって、
前記トレッド部は、前記トレッド部のトレッドゴムの摩耗ともに摩耗することで磁束密度または磁界強度が低下する柱状の摩耗計測用磁石と、前記トレッドゴムの摩耗に伴って摩耗することがない位置に設けられた柱状の参照用磁石と、を備え、
前記摩耗計測用磁石及び前記参照用磁石は、前記トレッド部が地面と接するトレッド表面の側から、前記空気入りタイヤのタイヤ空洞領域の側に向かって延びるように延在し、
前記参照用磁石の前記トレッド表面側の端は、前記摩耗計測用磁石の前記トレッド表面側の端に比べて前記トレッド表面から遠い位置にあり、
前記摩耗計測用磁石の磁束密度または磁界強度と前記参照用磁石の磁束密度または磁界強度を継続的にあるいは断続的に計測するステップと、
前記参照用磁石の磁束密度または磁界強度の情報を参照することにより、前記摩耗計測用磁石の磁束密度または磁界強度の情報から、前記摩耗計測用磁石の摩耗に起因した磁束密度または磁界強度の低下の情報を抽出して、前記トレッドゴムの摩耗情報を取得するステップと、を有することを特徴とする空気入りタイヤの摩耗情報取得方法。
【請求項１７】
前記トレッドゴムの摩耗情報を取得するステップは、前記摩耗計測用磁石の磁束密度または磁界強度の情報を、前記参照用磁石の磁束密度または磁界強度の情報に定数を用いて四則演算を行った演算結果で割り算することにより、前記摩耗計測用磁石の摩耗に起因した磁束密度または磁界強度の低下の情報を抽出する、請求項１６に記載の空気入りタイヤの摩耗情報取得方法。
【発明の詳細な説明】
【技術分野】
【０００１】
本発明は、トレッド部の摩耗情報を取得するための磁石を備えた空気入りタイヤ、トレッド部の摩耗情報を取得するタイヤ摩耗情報取得システム、トレッド部の摩耗情報を取得するための磁石を備えた空気入りタイヤの摩耗情報取得方法に関する。
【背景技術】
【０００２】
従来より、空気入りタイヤのトレッド部の摩耗を管理する際に、運転者または車両の運行管理者は、トレッドパターンの溝の深さ、あるいは、空気入りタイヤに設けたスリップサインの出現を目視でチェックしてタイヤの摩耗状態を点検する。空気入りタイヤは、トレッドゴムが摩耗限度に達したときには、新品の空気入りタイヤに交換される。空気入りタイヤの摩耗状態を目視でチェックすることは、運転者等が、点検を怠ったり、チェック方法を誤ったりした場合には、空気入りタイヤが摩耗限度に達しても放置することになり、好ましくない。【０００３】
これに対して、空気入りタイヤのトレッドゴムの摩耗情報を運転者等の視認によらず、摩耗限度を越えて進行したか否かを判定するための摩耗測定方法が開示されている（引用文献１）。【０００４】
摩耗測定方法は、空気入りタイヤのトレッド部の溝部もしくは内部に配設した磁性体の、摩耗による形状の変化を検知して、トレッド部の摩耗の度合を特定する。例えば、磁性体の形状の変化の検知は、硬質磁性材料よりなる磁性体により形成される磁場の強さ（磁束密度または磁界強度）を磁気センサで測定することにより行われる。
【先行技術文献】
【特許文献】
【０００５】
【特許文献１】特開２００３−２１４８０８号公報
【発明の概要】
【発明が解決しようとする課題】
【０００６】
上記方法で測定した磁場（磁束密度または磁界強度）には、磁性体の経時変化あるいは熱劣化等の使用に伴う磁場の強さ（磁束密度または磁界強度）の変化が含まれているので、トレッド部の摩耗の度合を、測定した磁場の強さ（磁束密度または磁界強度）の変化から、精度良く得ることはできなかった。
特に、空気入りタイヤのトレッドゴムは、空気入りタイヤの転動によって発熱して、高温になるので、磁性体の磁場（磁束密度または磁界強度）の低下は避けられない。【０００７】
そこで、本発明は、磁石の磁束密度または磁界強度の測定した情報からトレッド部の摩耗情報を取得することができる磁石を備えた空気入りタイヤであって、空気入りタイヤのトレッドゴムの発熱に起因する磁石の磁束密度または磁界強度の低下、及び経時変化に起因する磁石の磁束密度または磁界強度の低下の影響を受けることなく、精度の高い摩耗情報を取得することができる空気入りタイヤ、精度の高い摩耗情報を取得することができるタイヤ摩耗情報取得システム、精度の高いトレッド部の摩耗情報を取得することができる空気入りタイヤの摩耗情報取得方法を提供することを目的とする。
【課題を解決するための手段】
【０００８】
本発明の一態様は、トレッド部の摩耗情報を取得するための磁石を備えた空気入りタイヤである。当該空気入りタイヤは、
前記トレッド部は、前記トレッド部のトレッドゴムの摩耗ともに摩耗することで磁束密度または磁界強度が低下する柱状の摩耗計測用磁石と、前記トレッドゴムの摩耗に伴って摩耗することがない位置に設けられた柱状の参照用磁石と、を備える。
前記摩耗計測用磁石及び前記参照用磁石は、前記トレッド部が地面と接するトレッド表面の側から、前記空気入りタイヤのタイヤ空洞領域の側に向かって延びるように延在し、
前記参照用磁石の前記トレッド表面側の端は、前記摩耗計測用磁石の前記トレッド表面側の端に比べて前記トレッド表面から遠い位置にある。【０００９】
前記摩耗計測用磁石の磁束密度または磁界強度を検知する摩耗計測用磁気センサと、前記参照用磁石の磁束密度または磁界強度を検知する参照用磁気センサを備える、ことが好ましい。
この場合、前記摩耗計測用磁気センサ及び前記参照用磁気センサは、前記タイヤ空洞領域に面するタイヤ内表面から、前記タイヤ空洞領域内に突出した非磁性材料で構成された突出部上に設けられていることが好ましい。【００１０】
前記摩耗計測用磁石及び前記参照用磁石は、前記トレッド表面の側から、前記タイヤ空洞領域の側に向かって延びるが、前記空気入りタイヤのカーカスプライに至る前で終端し、
前記摩耗計測用磁気センサ及び前記参照用磁気センサは、前記タイヤ空洞領域に面する前記空気入りタイヤの内表面に固定されて設けられている、ことも好ましい。【００１１】
前記摩耗計測用磁石と前記参照用磁石は、タイヤ周方向の異なる位置で、タイヤ幅方向の同じ位置に設けられる、ことが好ましい。【００１２】
前記摩耗計測用磁石と前記参照用磁石との間のタイヤ周方向に沿った離間距離Ｗは、前記摩耗計測用磁石及び前記参照用磁石の延在方向のそれぞれの長さのうち長い方の長さＬの２倍より大きい、ことが好ましい。【００１３】
前記空気入りタイヤの新品時の未摩耗のトレッド表面のプロファイル形状を維持しながら前記トレッドゴムが摩耗するときに、前記空気入りタイヤに設けられたウェアインジケータが露出を開始するトレッド表面のプロファイルラインである摩耗限界曲線に前記トレッド表面が達しても、前記参照用磁石の前記トレッド表面側の端が前記トレッド表面に露出しないように、前記参照用磁石は配置されている、ことが好ましい。【００１４】
前記トレッド部には、タイヤ周方向に延びる周方向主溝が設けられ、
前記空気入りタイヤの新品時の未摩耗のトレッド表面のプロファイル形状を維持しながら、前記周方向主溝の溝深さが、新品時の未摩耗における前記周方向主溝の溝深さの５０％の深さになるまで前記トレッド表面が摩耗する時のトレッド表面のプロファイルラインである摩耗限界曲線に前記トレッド表面が達しても、前記参照用磁石の前記トレッド表面側の端が前記トレッド表面に露出しないように、前記参照用磁石は配置されている、ことが好ましい。【００１５】
前記参照用磁石の前記トレッド表面側の端から前記トレッド表面までの部分には、前記トレッドゴムと同じゴム材料で構成されている、ことが好ましい。【００１６】
前記摩耗計測用磁石及び前記参照用磁石のそれぞれは、前記空気入りタイヤのベルト層のタイヤ幅方向外側を通過して前記空洞領域の側に延びている、ことが好ましい。【００１７】
前記摩耗計測用磁石及び前記参照用磁石は、前記トレッドゴムと同じゴム材料に磁石の粉末を含ませた構成のボンド磁石である、ことが好ましい。【００１８】
前記摩耗計測用磁石及び前記参照用磁石それぞれの最大直径をＤとし、前記摩耗計測用磁石及び前記参照用磁石それぞれの延在する長さをＬとしたとき、比Ｌ／Ｄは、３〜１５である、ことが好ましい。【００１９】
前記トレッド部は、前記トレッド部のパターンエンドからタイヤ幅方向内側に延びる複数のショルダーラグ溝がタイヤ周方向に離間して設けられ、
前記摩耗計測用磁石及び前記参照用磁石は、タイヤ周方向において前記ショルダーラグ溝の１つを少なくとも挟んで設けられ、
前記摩耗計測用磁石及び前記参照用磁石のそれぞれにタイヤ周方向に隣接する２つのショルダーラグ溝の間の距離をＹ０としたとき、前記摩耗計測用磁石及び前記参照用磁石のそれぞれは、前記隣接する２つのショルダーラグ溝のそれぞれから、前記距離Ｙ０の０．３倍〜０．７倍離れた位置に設けられる、ことが好ましい。【００２０】
本発明の他の一態様は、タイヤ摩耗情報取得システムである。当該タイヤ摩耗情報取得システムは、
前記空気入りタイヤと、
前記摩耗計測用磁気センサの検知信号と前記参照用磁気センサの検知信号から前記トレッドの摩耗情報を取得する取得装置と、を備える。
前記摩耗計測用磁気センサの検知信号は、前記摩耗計測用磁石の摩耗、経時劣化及び熱劣化に起因した前記摩耗計測用磁石の磁束密度または磁界強度の低下を含む第１情報を含み、
前記参照用磁気センサの検知信号は、前記参照用磁石の経時劣化及び熱劣化に起因した前記参照用磁石の磁束密度または磁界強度の低下を含む第２情報を含む。
前記取得装置は、前記第１情報と前記第２情報を用いて、前記摩耗計測用磁石の磁束密度または磁界強度の低下から前記摩耗計測用磁石の経時劣化及び熱劣化に起因した前記摩耗計測用磁石の磁束密度または磁界強度の低下を除去して、前記摩耗計測用磁石の摩耗に起因した前記摩耗計測用磁石の磁束密度または磁界強度の低下の情報を抽出することにより、前記トレッドゴムの摩耗情報を取得する。【００２１】
前記取得装置は、前記摩耗計測用磁気センサの検知信号を、前記参照用磁気センサの検知信号に定数を用いて四則演算を行った演算結果で割り算することにより、前記摩耗計測用磁石の摩耗に起因した磁束密度または磁界強度の低下の情報を抽出する、ことが好ましい。【００２２】
本発明の他の一態様は、トレッド部の摩耗情報を取得するための磁石を備えた空気入りタイヤの製造方法である。当該製造方法は、
前記磁石を前記トレッド部のトレッドゴムに埋め込むための磁石装着用孔が前記トレッドゴムに形成されるようにピンが突出したタイヤ金型を用いて、生タイヤを加硫してタイヤを作製するステップと、
作製した前記タイヤの前記磁石装着用孔に、摩耗計測用磁石及び参照用磁石のそれぞれを装着するステップと、を備える。【００２３】
前記参照用磁石を前記磁石装着用孔に装着するステップでは、前記参照用磁石の端にゴム材料の部材が装着された組み合わせ体を、前記磁石装着用孔に装着する、ことが好ましい。【００２４】
前記摩耗計測用磁石及び前記参照用磁石を前記磁石装着用孔に装着するステップでは、前記摩耗計測用磁石及び前記参照用磁石のそれぞれと、前記摩耗計測用磁石及び前記参照用磁石のそれぞれの外周を覆うカバー部材と、を一体化した組み合わせ体を、前記磁石装着用孔に装着し、前記磁石装着用孔内では前記カバー部材が、前記磁石装着用孔の内壁と接触する、ことが好ましい。
前記カバー部材は、前記トレッドゴムと同じ摩耗特性を有するゴム材料あるいは樹脂材料であることが好ましい。【００２５】
本発明の他の一態様は、トレッド部の摩耗情報を取得するための磁石を備えた空気入りタイヤの摩耗情報取得方法である。
前記トレッド部は、前記トレッド部のトレッドゴムの摩耗ともに摩耗することで磁束密度または磁界強度が低下する柱状の摩耗計測用磁石と、前記トレッドゴムの摩耗に伴って摩耗することがない位置に設けられた柱状の参照用磁石と、を備え、
前記摩耗計測用磁石及び前記参照用磁石は、前記トレッド部が地面と接するトレッド表面の側から、前記空気入りタイヤのタイヤ空洞領域の側に向かって延びるように延在し、
前記参照用磁石の前記トレッド表面側の端は、前記摩耗計測用磁石の前記トレッド表面側の端に比べて前記トレッド表面から遠い位置にある。
このとき、当該空気入りタイヤの摩耗情報取得方法は、
前記摩耗計測用磁石の磁束密度または磁界強度と前記参照用磁石の磁束密度または磁界強度を継続的にあるいは断続的に計測するステップと、
前記参照用磁石の磁束密度または磁界強度の情報を参照することにより、前記摩耗計測用磁石の磁束密度または磁界強度の情報から、前記摩耗計測用磁石の摩耗に起因した磁束密度または磁界強度の低下の情報を抽出して、前記トレッドゴムの摩耗情報を取得するステップと、を有する。【００２６】
前記トレッドゴムの摩耗情報を取得するステップは、前記摩耗計測用磁石の磁束密度または磁界強度の情報を、前記参照用磁石の磁束密度または磁界強度の情報に定数を用いて四則演算を行った演算結果で割り算することにより、前記摩耗計測用磁石の摩耗に起因した磁束密度または磁界強度の低下の情報を抽出する、ことが好ましい。
【発明の効果】
【００２７】
上述の空気入りタイヤ、タイヤ摩耗情報取得システム、及び空気入りタイヤの摩耗情報取得方法によれば、空気入りタイヤのトレッドゴムの発熱に起因する磁石の磁束密度または磁界強度の低下、及び経時変化に起因する磁石の磁束密度または磁界強度の低下の影響を受けることなく、精度の高い摩耗情報を取得することができる。
【図面の簡単な説明】
【００２８】
【図１】一実施形態の空気入りタイヤのプロファイル断面図である。
【図２】（ａ）〜（ｃ）は、一実施形態のタイヤＴに設けられる摩耗計測用磁石及び参照用磁石を説明する図である。
【図３】（ａ），（ｂ）は、一実施形態の摩耗計測用磁石及び参照磁石の配置例を説明する図である。
【図４】（ａ）〜（ｃ）は、一実施形態の摩耗計測用磁石及び参照磁石の配置例を説明する図である。
【図５】一実施形態における磁気センサの他の配置の例を示す図である。
【図６】（ａ）は、一実施形態の摩耗計測用磁石と参照用磁石の磁束密度の低下を模式的に示す図であり、（ｂ）は、摩耗に起因した摩耗計測用磁石の、参照用磁石に対する磁束密度比の変化の例を模式的に示す図である。
【図７】一実施形態のタイヤの製造方法の一例を説明する図である。
【図８】（ａ）〜（ｈ）は、一実施形態における摩耗計測用磁石の形態を説明する図である。
【発明を実施するための形態】
【００２９】
以下、実施形態の空気入りタイヤ、タイヤ摩耗情報取得システム、及び空気入りタイヤの摩耗情報取得方法について詳細に説明する。
本明細書においてタイヤ幅方向とは、空気入りタイヤの回転中心軸方向をいい、タイヤ周方向とは、タイヤ回転中心軸を中心にタイヤを回転させたときにできるトレッド表面の回転方向をいう。タイヤ径方向とは、タイヤ回転中心軸から放射状に向く方向をいう。タイヤ径方向外側とは、タイヤ回転中心軸から遠ざかる側をいい、タイヤ径方向内側とは、タイヤ回転中心軸に近づく側をいう。
【００３０】
図１は、一実施形態の空気入りタイヤ（以降、単にタイヤという）Ｔのプロファイル断面図である。図１に示すようにタイヤＴは、タイヤ周方向に延在して環状をなすトレッド部１と、トレッド部１の両側に配置された一対のサイドウォール部２，２と、これらサイドウォール部２，２のタイヤ径方向内側に配置された一対のビード部３，３とを備えている。
【００３１】
一対のビード部３，３間にはカーカスプライ４が装架されている。このカーカスプライ４は、タイヤ径方向に延びる複数本の補強コードを含み、各ビード部３に配置されたビードコア５の廻りにタイヤ内側から外側へ折り返されている。カーカスプライ４の補強コードは、例えばスチールから成り、補強コードの直径は、例えば０．５〜１．５ｍｍであり、補強コードの打ち込み本数は、例えば１５〜２５（本/５０ｍｍ）である。ビードコア５の外周上には断面三角形状のゴム組成物からなるビードフィラー６が配置されている。
【００３２】
一方、トレッド部１におけるカーカスプライ４のタイヤ径方向外側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜６０°の範囲に設定されている。ベルト層７の補強コードとしては、スチールコードが好ましく使用される。
【００３３】
このようなタイヤＴは、トレッド部１の摩耗情報を取得するための磁石を備える。図２（ａ）〜（ｃ）は、一実施形態のタイヤＴに設けられる摩耗計測用磁石１０及び参照用磁石１２を説明する図である。
【００３４】
タイヤＴは、トレッド部１のトレッドゴムの摩耗状態を磁束密度または磁界強度の変化で知ることができる摩耗計測用磁石１０と、摩耗計測用磁石１０における、経時変化及び発熱による磁束密度または磁界強度の低下を補償するための参照用磁石１２と、を備える。さらに、タイヤＴは、摩耗計測用磁石及び参照用磁石の磁束密度または磁界強度を検知する磁気センサ２０，２２を備える。この磁気センサ２０，２２の検知信号は、有線あるいは無線で、摩耗情報を取得する取得装置３０に送信される。これにより、取得装置３０は、タイヤＴのトレッドゴムの摩耗状態を知ることができる。以下、タイヤＴについて詳細に説明する。
【００３５】
（摩耗計測用磁石、参照用磁石）
トレッド部１には、摩耗計測用磁石１０（図１参照）及び参照用磁石１２（図２（ｃ）参照）が設けられている。摩耗計測用磁石１０（図１参照）及び参照用磁石１２は、トレッド部１が地面と接するトレッド表面の側から、タイヤＴのタイヤ空洞領域８の側に向かって延びるように延在する。タイヤ空洞領域８は、タイヤＴをホイールに装着した時、タイヤＴとホイールとで区画された、空気を充填する空間領域をいう。
摩耗計測用磁石１０は、トレッド部１のトレッドゴムの摩耗ともに摩耗することで磁束密度または磁界強度が低下する柱状の磁石である。図１に示す実施形態では、摩耗計測用磁石１０は、新品時、トレッドゴムのトレッド表面と面一に露出しているので、トレッドゴムの摩耗に伴って摩耗する。摩耗計測用磁石１０は、トレッド表面の側から、タイヤ空洞領域８の側に向かって延びるが、カーカスプライ４に至る前で終端する。
【００３６】
参照用磁石１２は、図２（ｃ）に示すように、トレッド部１のトレッドゴムの摩耗に伴って摩耗することがない位置に設けられた柱状の磁石である。参照用磁石１２は、トレッド表面の側から、タイヤ空洞領域８の側に向かって延びるが、カーカスプライ４に至る前で終端する。図２（ｃ）に示す実施形態の参照用磁石１２は、摩耗したトレッドゴムのトレッド表面が摩耗限界線Ｃに到達しても、依然として露出しないような位置に設けられている。摩耗限界線Ｃとは、例えば、トレッドパターンの溝に設けられたウェアインジケータが、新品時のトレッド表面のプロファイル形状を維持しながら摩耗するときに露出を開始するトレッド表面のプロファイルラインをいう。あるいは、摩耗境界線Ｃは、スタッドレスタイヤの場合、新品時のトレッド表面のプロファイル形状を維持しながら摩耗するときにトレッドパターンの溝深さ、例えば、タイヤ周方向に延びる周方向主溝４０（図１参照）の溝深さに対して５０％の深さになるまで摩耗した時のトレッド表面のプロファイルラインをいう。したがって、新品時の未摩耗のトレッド表面のプロファイル形状を維持しながらトレッドゴムが摩耗するときに、タイヤＴに設けられたウェアインジケータが露出を開始するトレッド表面のプロファイルラインである摩耗限界曲線Ｃにトレッド表面が達しても、参照用磁石１２のトレッド表面側の端がトレッド表面に露出しないように、参照用磁石１２は配置されていることが好ましい。また、タイヤＴがスタッドレスタイヤの場合、タイヤＴの新品時の未摩耗のトレッド表面のプロファイル形状を維持しながら、周方向主溝４０の溝深さが、新品時の未摩耗における周方向主溝４０の溝深さの５０％の深さになるまでトレッド表面が摩耗する時のトレッド表面のプロファイルラインである摩耗限界曲線Ｃにトレッド表面が達しても、参照用磁石１２のトレッド表面側の端がトレッド表面に露出しないように、参照用磁石１２は配置されている、ことも好ましい。
【００３７】
参照用磁石１２は、図２（ｃ）に示すように、トレッド表面に露出していない。このトレッド表面側の端からトレッド表面までの部分は、ゴムが設けられている。このゴムは、トレッド部１を構成するトレッドゴムと同じゴム材料で構成されることが、トレッドゴムの変形が参照用磁石１２のないタイヤ周上の他の部分の変形と略同じになるようにする点から好ましい。
摩耗計測用磁石１０及び参照用磁石１２の形状を一方向に延在した柱状にすることにより、パーミアンス係数が高くなり、経時変化及び熱劣化による磁束密度または磁界強度の低下を抑えることができる。
【００３８】
したがって、参照用磁石１２のトレッド表面側の端は、摩耗計測用磁石１０のトレッド表面側の端に比べてトレッド表面から遠い位置にある。図２（ｂ）に示すように、摩耗計測用磁石１０は、新品時のトレッド部１のトレッド表面に露出する形態であるが、新品時トレッド表面に露出せず、ある程度の摩耗が進行した時点からトレッド表面に露出するような形態であってもよい。
【００３９】
摩耗計測用磁石１０及び参照用磁石１２は、ベルト層７の端部のタイヤ幅方向外側を通過して、タイヤ空洞領域１０ａの側のカーカスプライ４の近くまで延びるように構成されている。このように、摩耗計測用磁石１０及び参照用磁石１２がベルト層７の端部の外側を通過するように構成するのは、摩耗計測用磁石１０及び参照用磁石１２の磁場がベルト層７によって遮蔽されることを抑制するためである。
【００４０】
図２（ａ）に示すように、摩耗計測用磁石１０と参照用磁石１２は、タイヤ周方向の異なる位置に設けられる。図２（ｂ）に示す摩耗計測用磁石１０は、図２（ａ）に示すタイヤ周上の位置Ａに設けられ、参照用磁石１２は、図２（ａ）に示すタイヤ周上の位置Ｂに設けられる。
【００４１】
摩耗計測用磁石１０及び参照用磁石１２は、例えば、ボンド磁石である。ボンド磁石は、ネオジム磁石やフェライト磁石などの磁石を砕いた微粒子をゴムあるいはプラスチックに練り込んだ柔軟性のある磁石である。摩耗計測用磁石１０及び参照用磁石１２にボンド磁石を用いることが、摩耗計測用磁石１０及び参照用磁石１２がない、トレッド部１の他の部分と同様のトレッドゴムの変形を可能にする点から好ましい。一実施形態によれば、特に、摩耗計測用磁石１０と参照用磁石１２に用いるゴム材料はトレッド部１のトレッドゴムと同じゴム材量であることが、摩耗計測用磁石１０及び参照用磁石１２がない、トレッド部１の他の部分と同様の変形を可能にする点から好ましい。また、摩耗計測用磁石１０と参照用磁石１２に用いるゴム材料は同じであることが、経時変化及び発熱による磁束密度または磁界強度の低下を同じようにする点から好ましい。
【００４２】
また、摩耗計測用磁石１０及び参照用磁石１２の断面形状は、四角形、円形、楕円形等の形状に限定されないが、一実施形態によれば、この断面形状及び断面積は、摩耗計測用磁石１０及び参照用磁石１２の間で同じであることが好ましい。これにより、摩耗計測用磁石１０及び参照用磁石１２の経時変化及び発熱による減磁特性を同程度に揃えることができる。
なお、摩耗計測用磁石１０及び参照用磁石１２の断面形状及び断面積は、摩耗計測用磁石１０及び参照用磁石１２の延在方向に沿って一定であっても、変化してもよい。
【００４３】
図３（ａ），（ｂ）は、一実施形態の摩耗計測用磁石１０、参照磁石１２の配置例を説明する図である。図３（ａ）に示すように、ベルト層７の端部の一部が切り欠かれた部分を、摩耗計測用磁石１０、参照磁石１２が通過して、タイヤ空洞領域１０ａの側のカーカスプライ４の近くまで延びるように構成することができる。
また、図３（ｂ）に示すように、摩耗計測用磁石１０、参照磁石１２が、ベルト層７で分断されてもよい。分断されても、ベルト層７は、スチールコードを含んでいるので、磁気を通過させることができ、摩耗計測用磁石１０及び参照磁石１２の機能を果たす。
【００４４】
図４（ａ）〜（ｃ）は、一実施形態の摩耗計測用磁石１０、参照磁石１２の配置例を説明する図である。
図４（ａ）に示すトレッド部１は、トレッド部１には、タイヤ周方向に延びる周方向主溝４０と、トレッド部１のショルダー領域に設けられ、パターンエンドからタイヤ幅方向内側に延びるショルダーラグ溝４２と、を備える。ショルダーラグ溝４２は、タイヤ周方向に離間して複数設けられる。
【００４５】
このようなトレッドパターンにおいて、摩耗計測用磁石１０及び参照磁石１２は、ショルダーラグ溝４２の設けられるショルダー領域に設けられる。
この場合、図４（ｂ）に示す一実施形態のように、摩耗計測用磁石１０と参照磁石１２は、ショルダーラグ溝４２をタイヤ周方向に挟むように設けられる。図４（ｂ）では、摩耗計測用磁石１０と参照磁石１２は、１つのショルダーラグ溝４２をタイヤ周方向に挟むように設けられているが、一実施形態によれば、摩耗計測用磁石１０及び参照磁石１２のそれぞれは、２つ以上のショルダーラグ溝４２をタイヤ周方向に挟むように設けられてもよい。
【００４６】
摩耗計測用磁石１０と参照用磁石１２との間のタイヤ周方向に沿った離間距離Ｗは、摩耗計測用磁石１０及び参照用磁石１２の延在方向のそれぞれの長さのうち長い方の長さＬの２倍より大きいことが好ましい。上述の実施形態の場合、いずれも摩耗計測用磁石１０の延在方向の長さが、参照用磁石１２の延在方向の長さよりも長いので、長さＬは、摩耗計測用磁石１０の延在方向の長さである。このように離間距離Ｗを長さＬの２倍より大きくすることにより、摩耗計測用磁石１０と参照用磁石１２の磁場が混在して磁束密度または磁界強度の計測結果が不正確になることを抑制することができる。
【００４７】
このとき、図４（ｃ）に示すように、摩耗計測用磁石１０及び参照用磁石１２のそれぞれにタイヤ周方向に隣接する２つのショルダーラグ溝４２，４２間の距離をＹ０としたとき、摩耗計測用磁石１０は、隣接する２つのショルダーラグ溝４２，４２のそれぞれから、距離Ｙ０の０．３倍〜０．７倍離れた位置に設けられる。すなわち、ショルダーラグ溝４２の端から、摩耗計測用磁石１０の中心位置までの距離Ｙ１は、距離Ｙ０の０．３倍〜０．７倍である。参照用磁石１２も、摩耗計測用磁石１０の配置位置と同じように配置される。すなわち、ショルダーラグ溝４２の端から、参照用磁石１２の中心位置までの距離は、距離Ｙ０の０．３倍〜０．７倍である。このような配置により、摩耗計測用磁石１０及び参照用磁石１２の磁束密度または磁界強度の低下の情報から得られるトレッドゴムの摩耗情報は、ショルダーラグ溝４２の近傍のトレッドゴムにおいて生じ易い、摩耗量が局部的に増大する偏摩耗やチッピング（欠け）の影響を受け難くすることができる。
特に、ショルダーラグ溝４２の端から、摩耗計測用磁石１０及び参照用磁石１２の距離の、距離Ｙ０に対する比は、同じである（比の差が０．１以下である）ことが好ましい。
【００４８】
摩耗計測用磁石１０と参照用磁石１２は、タイヤ周方向の異なる位置で、タイヤ幅方向の同じ位置に設けられることが好ましい。これにより、摩耗計測用磁石１０と参照用磁石１２が受けるトレッドゴムによる発熱による熱劣化を同程度にすることができるので、摩耗計測用磁石１０の磁束密度または磁界強度の低下からトレッドゴムの摩耗情報を取得するとき、参照用磁石１２の磁束密度または磁界強度の低下を参照情報として有効に活用することができる。
【００４９】
摩耗計測用磁石１０及び参照用磁石１２それぞれの最大直径をＤ（図４（ｂ）参照）とし、摩耗計測用磁石１０及び参照用磁石１２それぞれの延在する長さをＬ（図４（ｂ）参照）としたとき、比Ｌ／Ｄは、３〜１５であることが好ましい。比Ｌ／Ｄが３より小さいと、磁束密度または磁界強度は低下し易くなる。比Ｌ／Ｄを大きくすると、タイヤＴのトレッド部１の厚さの制限から長さＬは制限される。このため、比Ｌ／Ｄを必要以上大きくする場合、最大直径Ｄを小さくする必要が生じるが、最大直径Ｄを小さくすると磁束密度または磁界強度が小さくなり、磁気センサ２０，２２の計測精度が低下する。この点から比Ｌ／Ｄは１５以下である。ここで、最大直径とは、断面が非円形の場合、この非円形の断面形状を、断面積が等しい円形状に置き換えた時の円形状の直径、すなわち等価直径をいう。最大直径Ｄは、例えば１〜１０ｍｍである。長さＬは、例えば２〜８ｍｍである。
【００５０】
（磁気センサ）
磁気センサ２０（図１、図２（ｂ）参照）は、摩耗計測用磁石１０の磁束密度または磁界強度を検知するセンサである。本実施形態の磁気センサ２０，２２は、タイヤＴに装着されるが、別の一実施形態では、タイヤＴに装着されなくてもよい。磁気センサ２２（図２（ｃ）参照）は、参照用磁石１２の磁束密度または磁界強度を検知するセンサである。磁気センサ２０，２２は、例えば、ホール効果を利用したホール素子、磁気抵抗効果素子、あるいは、磁気インピーダンス素子、ＧＳＲ（GHz-Spin-Rotation）センサ素子、磁歪センサ素子等を用いることができる。特に、磁束密度または磁界強度を精度よく検知することができるホール素子を用いることが好ましい。磁気センサは、例えば基板上に設けられ、基板がタイヤＴに固定される。この場合、基板上に磁気センサ２０，２２の駆動電源（バッテリ）を設けることができる。磁気センサ２０，２２の駆動電源は、必ずしも基板に設けられなくてもよく、磁気センサ２０，２２の近傍に設けられてもよいし、タイヤＴの外部に設けられてもよい。
磁気センサ２０，２２は、図２（ｂ），（ｃ）に示す実施形態では、タイヤ空洞領域８に面するタイヤ内表面に固定される。磁気センサ２０，２２のタイヤ内表面への固定は、特に制限されないが、例えば、タイヤＴの作製時にタイヤ内表面に装着した面ファスナを介して、タイヤ内表面に磁気センサ２０，２２を固定することができる。
別の一実施形態によれば、磁気センサ２０,２２は、タイヤ空洞領域に面するタイヤ内表面から、タイヤ空洞領域内に突出した非磁性材料（例えば、ゴム材料あるいは樹脂材料）で構成された突出部上に設けられることが好ましい。すなわち、磁気センサ２０,２２は、タイヤ内表面に固定した台座上に設けられる。磁気センサ２０,２２の配置位置近傍に金属部材等の磁性材料があることは、磁気センサ２０，２２の計測精度の点から好ましくない。このため、磁気センサ２０,２２をタイヤ内表面に配置する場合に、突出部（台座）を介して取り付けることで、スチールコードを用いたカーカスプライ４から離間させて計測精度を高めることができる。
【００５１】
図２（ｂ），（ｃ）に示すように、磁気センサ２０は、摩耗計測用磁石１０の近傍に設けられ、磁気センサ２２は参照用磁石１２の近傍に設けられる。摩耗計測用磁石１０及び参照用磁石１２がタイヤ幅方向の同じ位置に設けられる場合、磁気センサ２０，２２も、タイヤ幅方向の互いに同じ位置に設けられることが好ましい。このとき、磁気センサ２０，２２は、摩耗計測用磁石１０あるいは参照用磁石１２のタイヤ周方向の同じ位置に設けられることが好ましい。
なお、摩耗計測用磁石１０及び参照用磁石１２のタイヤ径方向の内側端部と磁気センサ２０,２２の磁場を横切る可能性のあるタイヤＴの金属部材はカーカスプライ４の補強コード以外には無い。上記金属部材の補強コードが磁束あるいは磁界を横切る場合でも、補強コードの直径は０．５〜１．５ｍｍであり、補強コードの打ち込み本数が１６〜２５（本/５０ｍｍ）である場合、磁気センサ２０,２２は、摩耗計測用磁石１０及び参照用磁石１２の磁束密度または磁界強度を支障なく検知することができる。
【００５２】
図５は、一実施形態における磁気センサ２０の他の配置の例を示す図である。図５に示すように、磁気センサ２０は、タイヤ内表面とは反対側のタイヤ外表面の、トレッド部１とサイドウォールの接続部分であるバットレス部９Ａに設けることもできる。また、磁気センサ２０は、タイヤＴの内部に設けることができる。図５に点線で示されるように、サイドウォールを形成するサイドゴムとトレッド部１を形成するトレッドゴムとの境界面９Ｂに設けることもできる。磁気センサ２２も、バットレス部９Ａあるいは境界面９Ｂに設けることもできる。すなわち、磁気センサ２０，２２は、カーカスプライ４を境にして、摩耗計測用磁石１０及び参照用磁石１２の配置される側に設けられることができる。カーカスプライ３にスチールコードを線材として用いた場合、磁束密度または磁界強度がスチールコードの影響を受け難くすることができる点から、磁気センサ２０，２２を、カーカスプライ４を境にして、摩耗計測用磁石１０及び参照用磁石１２と同じ側に設けることが好ましい。
【００５３】
（取得装置）
取得装置３０は、磁気センサ２０，２２で検知した磁束密度または磁界強度の情報を示す検知信号を、有線あるいは無線を介して受信する。
磁気センサ２０が受信した検知信号は、摩耗計測用磁石１０の摩耗に起因した磁束密度または磁界強度の低下のほかに、熱劣化に起因した、あるいは経時変化に起因した磁束密度または磁界強度の低下の情報を含む。一方、磁気センサ２２が受信した検知信号は、参照用磁石１２の熱劣化に起因した、あるいは経時変化に起因した磁束密度または磁界強度の低下の情報を含む。したがって、タイヤＴの使用時間の増大に伴ってトレッドゴムの摩耗量が増大する一方、摩耗計測用磁石１０及び参照用磁石１２の磁束密度または磁界強度は低下する。図６（ａ）は、一実施形態の摩耗計測用磁石１０と参照用磁石１２の磁束密度の低下を模式的に示す図である。図６（ａ）に示すように、摩耗計測用磁石１０及び参照用磁石１２の磁束密度の摩耗量の増大（使用時間の増大）に伴って低下する。磁界強度も磁束密度と同じように低下する。図６（ａ）中、符号１０，１２は、摩耗計測用磁石１０及び参照用磁石１２の磁束密度の変化を示すラインである。摩耗計測用磁石１０及び参照用磁石１２の磁束密度のラインが異なるのは、各磁石の延在方向の長さが異なり、磁束密度が異なるからである。取得装置３０は、このような磁気センサ２０から検知信号として取得した磁束密度または磁界強度の情報を、磁気センサ２２から検知信号として取得した磁束密度または磁界強度の情報を参照して、摩耗計測用磁石１０の摩耗に起因した磁束密度または磁界強度の低下の情報を抽出することができる。具体的には、取得装置３０は、磁気センサ２０から検知信号として取得した磁束密度または磁界強度の情報を、磁気センサ２２から検知信号として取得した磁束密度または磁界強度の情報に所定の定数を用いて四則演算を行った演算結果で割り算することにより、摩耗計測用磁石１０の摩耗に起因した磁束密度または磁界強度の低下の情報を抽出する。
【００５４】
図６（ｂ）は、摩耗に起因した摩耗計測用磁石１０の、参照用磁石１２に対する磁束密度比の変化の例を模式的に示す図である。図６（ｂ）に示すように、参照用磁石１０の磁束密度の変化がないのに対して摩耗計測用磁石１０の磁化密度は変化していることが示されている。摩耗に起因した摩耗計測用磁石１０の、参照用磁石１２に対する磁界強度比も、上記磁束密度比と同様の変化を示す。したがって、摩耗計測用磁石１０の摩耗に起因した磁束密度または磁界強度の変化は、摩耗計測用磁石１０の磁化密度の変化を表している。したがって、取得装置３０は、図６（ｂ）に示すように、初期状態の磁束密度または磁界強度の低下分を求めることにより、予め定めた磁束密度または磁界強度の低下分とトレッドゴムの摩耗量の関係を表す対応テーブルを用いて、トレッドゴムの摩耗情報を取得する。
【００５５】
このように、タイヤＴに設けられた摩耗計測用磁石１０及び参照用磁石１２の磁束密度または磁界強度の情報を用いることにより、タイヤＴのトレッドゴムの発熱に起因する磁石の磁束密度または磁界強度の低下、及び経時変化に起因する磁石の磁束密度または磁界強度の低下の影響を受けることなく、トレッドゴムの精度の高い摩耗情報を取得することができる。
【００５６】
したがって、タイヤＴと取得装置３０を備えたタイヤ摩耗情報取得システムでは、まず、摩耗計測用磁石１０の磁束密度または磁界強度と参照用磁石１２の磁束密度または磁界強度を継続的にあるいは断続的に計測する。計測した摩耗計測用磁石１０の磁束密度または磁界強度の情報から、参照用磁石１２の磁束密度または磁界強度の情報を参照することにより、摩耗計測用磁石１０の摩耗に起因した磁束密度または磁界強度の低下の情報を抽出して、トレッドゴムの摩耗情報を取得する。
【００５７】
以上の構成を備えるタイヤＴは、以下の空気入りタイヤの製造方法で作製することができる。図７は、一実施形態のタイヤＴの製造方法の例を説明する図である。
具体的には、摩耗計測用磁石１０及び参照用磁石１２をトレッド部１のトレッドゴムに埋め込むための２つの磁石装着用孔５０がトレッドゴムに形成されるように図示されないピンが突出したタイヤ金型を用いて、生タイヤを加硫してタイヤを作製する。
作製したタイヤＴの磁石装着用孔５０に、摩耗計測用磁石１０及び参照用磁石１２のそれぞれを装着する。図７に示す摩耗計測用磁石１０及び参照用磁石１０は、磁石装着用孔５０のそれぞれに圧入される。圧入の際、必要に応じて、摩耗計測用磁石１０及び参照用磁石１０は、接着剤を用いて固定されてもよい。
なお、参照用磁石１２の端には、トレッドゴム１と同じゴム材料の部材１２Ａが装着され、摩耗計測用磁石１０と同じ形状になるように構成されている。
図７に示す摩耗計測用磁石１０、及び参照磁石１２と部材１２Ａの組み合わせ体の形状は、両端の断面に比べて、両端にはさまれた中間部分の断面が大きくなっている。この形状は、磁石装着用孔５０の形状と対応するように構成されている。このような形状になっているので、圧入された摩耗計測用磁石１０及び参照磁石１２と部材１２Ａの組み合わせ体は、磁石装着用孔５０から離脱し難くなっている。
【００５８】
図８（ａ）〜（ｈ）は、他の一実施形態における摩耗計測用磁石１０の形態を説明する図である。図８（ｅ）〜（ｈ）は、図８（ａ）〜（ｄ）の断面図を示す。
摩耗計測用磁石１０は、図８（ａ）〜（ｄ）に示すように、種々の外形形状をした非磁性材料からなるカバー部材５２に装着される。カバー部材５２には、筒状の貫通孔が設けられ、摩耗計測用磁石１０は、貫通孔内に接着剤等により固定される。非磁性材料は、例えば、トレッドゴム１と同等の摩耗性能を有するゴム材料あるいは樹脂材料が用いられることが好ましい。カバー部材５２に装着された円筒状の摩耗計測用磁石１０は、カバー部材５２を介して、カバー部材５２の外形形状に対応したトレッドゴム１に設けられた磁石装着用孔５０内に装着される。カバー部材５２は、カバー部材５２の延在方向において部分的に断面が大きくなった断面拡大部を有する、あるいは、カバー部材５２の延在方向において部分的に断面が小さくなった２つの断面縮小部の間に設けられた断面拡大部を有する。この断面拡大部が、断面拡大部の形状に対応したトレッドゴム１の磁石装着用孔５０内の対応部分に嵌合されるように装着される。これにより、円筒形状の摩耗計測用磁石１０及び参照用磁石１２は、磁石装着用孔５０近傍のトレッドゴム１に強い力がかかっても、磁石装着用孔５０から離脱し難くなっている。このとき、カバー部材５２が磁石装着用孔５０からより離脱し難くするために、トレッドゴム１とカバー部材５２は、接着剤で固定されてもよい。
また、参照磁石１２も、図８（ａ）〜（ｈ）に示すカバー部材５２内に固定されてもよい。この場合、図７に示すように、参照用磁石１２と部材１２Ａを組み合わせて、カバー部材５２に固定するとよい。
したがって、摩耗計測用磁石１０及び参照用磁石１２を磁石装着用孔５０に装着するとき、摩耗計測用磁石１０及び参照用磁石１２それぞれと、摩耗計測用磁石１０及び参照用磁石１２それぞれの外周を覆うカバー部材５２と、を一体化した組み合わせ体を、磁石装着用孔５０に装着し、磁石装着用孔５０内ではカバー部材５２が、磁石装着用孔５０の内壁と接触する構成であることが好ましい。
【００５９】
以上、本発明の空気入りタイヤ、タイヤ摩耗情報取得システム、及び空気入りタイヤの摩耗情報取得方法について詳細に説明したが、本発明は上記実施形態に限定されず、本発明の主旨を逸脱しない範囲において、種々の改良や変更をしてもよいのはもちろんである。
【符号の説明】
【００６０】
１  トレッド部
２  サイドウォール部
３  ビード部
４  カーカスプライ
５  ビードコア
６  ビードフィラー
７  ベルト層
８  タイヤ空洞領域
９Ａ  バットレス部
９Ｂ  境界面
１０  摩耗計測用磁石
１２  参照用磁石
２０，２２  磁気センサ
３０  取得装置
４０  周方向主溝
４２  ショルダーラグ溝
５０  磁石装着用孔
５２  カバー部材
【図１】
0006677347.tif 000002
【図２】
0006677347.tif 000003
【図３】
0006677347.tif 000004
【図４】
0006677347.tif 000005
【図５】
0006677347.tif 000006
【図６】
0006677347.tif 000007
【図７】
0006677347.tif 000008
【図８】
0006677347.tif 000009